(57)【特許請求の範囲】
【請求項１】
脚柱本体の軸方向に延在する鉄筋の一部が途中定着された段落し部を有する鉄筋コンクリート製の脚柱の構造において、
前記脚柱本体が荷重を受けて最大耐力を保持しているときに、前記段落し部で途中定着された途中定着鉄筋とコンクリートとの付着が失われるように、前記途中定着鉄筋と前記コンクリートとの付着強度が調整されていることを特徴とする脚柱の構造。
【請求項２】
前記途中定着鉄筋に対応する位置において前記脚柱本体の外側面に圧縮力を付与する押圧手段を備え、
前記途中定着鉄筋と前記コンクリートとの付着強度は、前記押圧手段による前記外側面への圧縮力を調整することにより調整されていることを特徴とする請求項１に記載の脚柱の構造。
【請求項３】
前記押圧手段は、
前記途中定着鉄筋に対応する位置において前記脚柱本体の前記外側面に固定され、前記途中定着鉄筋の配列方向に延在する押圧部材を備えることを特徴とする請求項２に記載の脚柱の構造。
【請求項４】
前記押圧部材は、前記脚柱本体の前記途中定着鉄筋の位置よりも深い位置まで挿入されたアンカー部材によって固定されていることを特徴とする請求項３に記載の脚柱の構造。
【請求項５】
前記押圧部材は、互いに対向する前記外側面に対として設けられており、前記押圧部材同士は、前記脚柱本体を貫通する貫通部材によって連結されていることを特徴とする請求項３又は４に記載の脚柱の構造。
【請求項６】
前記押圧手段は、
前記押圧部材を前記外側面に押し当てるように付勢する付勢手段を更に備えたことを特徴とする請求項３〜５の何れか１項に記載の脚柱の構造。
【請求項７】
前記押圧部材は、延在方向における中央が前記脚柱本体側に向かうように湾曲した状態から前記外側面に押し当てられて当該外側面に密着していることを特徴とする請求項３〜６の何れか１項に記載の脚柱の構造。
【発明の詳細な説明】
【技術分野】
【０００１】
本発明は、鉄筋コンクリート製の脚柱の構造に関するものである。
【背景技術】
【０００２】
従来、このような分野の技術として、下記特許文献１に記載の橋脚が知られている。この文献では、橋脚の外側面に鋼板を固定することで、橋脚の耐震強度を向上することが提案されている。
【特許文献１】特開平９−２０９５８０号公報
【発明の開示】
【発明が解決しようとする課題】
【０００３】
しかしながら、この橋脚は、外側面の鋼板によって地震時の変形が抑制されるので、例えば地震時等に、橋脚が降伏するほどの大きな荷重を受けた場合、降伏後には地震のエネルギーを吸収することができず、崩壊してしまうおそれがある。この種の脚柱においては、安全のため、崩壊を免れる構造が要求される。
【０００４】
そこで、本発明は、崩壊しにくい脚柱の構造を提供することを目的とする。
【課題を解決するための手段】
【０００５】
本発明に係る脚柱の構造は、脚柱本体の軸方向に延在する鉄筋の一部が途中定着された段落し部を有する鉄筋コンクリート製の脚柱の構造において、脚柱本体が荷重を受けて最大耐力を保持している状態のときに、段落し部で途中定着された途中定着鉄筋とコンクリートとの付着が失われるように、途中定着鉄筋とコンクリートとの付着強度が調整されていることを特徴とする。
【０００６】
この脚柱の構造によれば、地震時において、脚柱本体が降伏するようなエネルギーを受ける場合、まず、橋脚本体が最大耐力を保持した状態になるまで橋脚本体の変形が進行し、地震のエネルギーが吸収される。そして、橋脚本体が最大耐力を保持している状態のときに、途中定着鉄筋とコンクリートとの付着が失われる。この付着が失われると、途中定着鉄筋が機能しなくなり、橋脚本体の鉄筋数が減少した状態となるので、脚柱本体が負担する力が低下する。従って、上記付着が失われた後は、その前よりも負担する荷重が小さい状態で橋脚本体が変形しながら地震のエネルギーが吸収される。この場合、橋脚本体の鉄筋数が少ない状態であり負担する荷重が小さいことから、橋脚本体は、耐荷性状が安定した状態で高い変形性能を示すことになる。従って、橋脚本体におけるコンクリートの損傷が抑えられ、橋脚本体が吸収可能なエネルギーが大きくなるので、橋脚本体の崩壊が発生しにくい。
【０００７】
また、本発明に係る脚柱の構造は、途中定着鉄筋に対応する位置において脚柱本体の外側面に圧縮力を付与する押圧手段を備え、途中定着鉄筋とコンクリートとの付着強度は、押圧手段による外側面への圧縮力を調整することにより調整されていることが好ましい。このような押圧手段が、橋脚本体の外側面を押圧すると、橋脚本体の途中定着鉄筋の周囲のコンクリートが途中定着鉄筋に押し当てられるので、途中定着鉄筋とコンクリートとの付着強度を強化することができる。従って、この押圧手段による圧縮力の強弱を調整することで、途中定着鉄筋とコンクリートとの付着強度を調整することができる。その結果、脚柱本体が荷重を受けて最大耐力を保持している状態のときに、途中定着鉄筋とコンクリートとの付着が失われるような付着強度に、正確に調整することができる。
【０００８】
ここで、上記作用を効果的に奏する押圧手段の具体的な構成としては、途中定着鉄筋に対応する位置において脚柱本体の外側面に固定され、途中定着鉄筋の配列方向に延在する押圧部材を備える構成が挙げられる。
【０００９】
また、この場合、押圧部材は、脚柱本体の途中定着鉄筋の位置よりも深い位置まで挿入されたアンカー部材によって固定されていることが好ましい。このような構成によれば、アンカー部材に引っ張り応力を作用させ、この引っ張り応力を調整することで押圧部材による圧縮力を調整することができる。
【００１０】
また、押圧部材は、互いに対向する外側面に対として設けられており、押圧部材同士は、脚柱本体を貫通する貫通部材によって連結されていることが好ましい。このような構成によれば、互いに対向する外側面の押圧部材それぞれに対して連結部材の引っ張り応力を作用させ、この引っ張り応力を調整することで、押圧部材による圧縮力を容易に調整することができる。
【００１１】
また、押圧手段は、押圧部材を外側面に押し当てるように付勢する付勢手段を更に備えることが好ましい。このような付勢手段の付勢力を調整することで、押圧部材による圧縮力を容易に調整することができる。
【００１２】
また、押圧部材は、延在方向における中央が脚柱本体側に向かうように湾曲した状態から外側面に押し当てられて当該外側面に密着していることが好ましい。このような構成によれば、押圧部材自体の弾性力によって、押圧部材の中央においても効果的に圧縮力が付与され、外側面に対して均等な圧縮力を付与することが出来る。また、押圧部材の形状や物理的性質を調整することで、圧縮力を容易に調整することができる。
【発明の効果】
【００１３】
本発明によれば、崩壊しにくい脚柱の構造を提供することができる。
【発明を実施するための最良の形態】
【００１４】
以下、図面を参照しつつ本発明に係る脚柱の構造の好適な実施形態について詳細に説明する。
【００１５】
（第１実施形態）
図１及び図２に示すように、橋梁１００は、複数の鉄筋コンクリート製の橋脚（脚柱）１と、それらの橋脚１に支持され水平方向に延在する橋桁３とを備えている。この橋脚１は、地盤５に固定されたフーチング７とフーチング７から鉛直上方向に延びる橋脚本体（脚柱本体）９とを備えている。更に、橋脚１は、橋脚本体９の上方に設けられ橋桁３を支持する支持部１１を備えている。
【００１６】
このような橋脚本体９は、橋桁３からの荷重を考慮し、橋桁３の延在方向に直交する方向の幅が、橋桁３の延在方向の幅よりも広く形成されている。すなわち、橋脚本体９は、長方形の水平断面をもつ形状をなしており、鉛直平面をなす２対の外側面９ａ，９ｂを有している。そして、一対の外側面９ａは、上記水平断面の長方形の長辺に対応しており、長方形の短辺に対応する一対の外側面９ｂに比較して広い水平幅を有している。
【００１７】
図３〜図５に示すように、橋脚本体９においては、鉛直方向（脚柱本体の軸方向）に延びる鉄筋１５が、水平方向に多数配列されてコンクリート部１３に埋め込まれて存在している。そして、この橋脚本体９の途中の高さの位置には、段落し部１７が設けられており、上記鉄筋１５のうち約半数の鉄筋（途中定着鉄筋）１５ａは、段落し部１７において上端部が途中定着され、残りの約半数の鉄筋１５ｂは、更に上方に向かって支持部１１まで延びている。この鉄筋１５には、コンクリート部１３との確実な付着を図るため、等間隔に節部１５ｃが設けられている。
【００１８】
このような段落し部１７において、地震時の橋桁３からの荷重によって橋脚本体９が撓む際には、段落し部１７で途中定着された鉄筋１５ａが、下向きの力Ｆ１で引っ張られる。そして、段落し部１７では、下向きに張られた鉄筋１５ａの節部１５ｃが、周囲のコンクリートを押し広げようとする力を生じさせ、これよって橋脚本体９のかぶりコンクリート１３ａを外側に押す力Ｆ２が生じる。また、図６に示すように、鉄筋１５ａが橋脚本体９の撓みに追従出来ずに、途中定着部１５ｄ付近において、この鉄筋１５ａが橋脚本体９から外側にはらみ出そうとする力Ｆ３も生じる。
【００１９】
そして、地震時においては、上記のような力Ｆ２，Ｆ３が働くことによって、鉄筋１５ａの周囲のコンクリートに鉛直方向のひび割れが発生し、段落し部１７におけるコンクリート部１３と鉄筋１５ａとの付着が失われる。また、このとき、かぶりコンクリート１３ａが橋脚本体９から剥離する場合もある。なお、このように段落し部１７におけるコンクリート部１３と鉄筋１５ａとの付着が失われる現象を、以下の説明においては、単に「付着の喪失」と称する場合もある。
【００２０】
そして、この橋脚１においては、地震時において上記のような付着の喪失が発生するタイミングを所望のタイミングに調整するため、コンクリート部１３と鉄筋１５ａとの付着強度（以下、単に「付着強度」とも称する。）が調整されている。すなわち、ここでは、地震時において、橋脚本体９が降伏した後、橋脚本体９が最大耐力を保持している間に付着の喪失が発生するように、付着強度が調整されている。この付着強度は、途中定着鉄筋１５ａが、下向きの力Ｆ１で引っ張られた場合における付着の喪失の発生の容易性を意味しており、付着強度が強いほど付着の喪失が発生し難く、付着強度が弱いほど付着の喪失が発生し易い。
【００２１】
ここで、橋脚本体９における途中定着部１５ｄよりも下方において、外側面９ａ，９ｂに対して圧縮力を付与すると、この圧縮力によって鉄筋１５ａ周囲のコンクリートが鉄筋１５ａに対して押し当てられる。そして、この押し当て力が上記の力Ｆ２，Ｆ３に対抗するので、鉄筋１５ａの付着の喪失が発生し難くなる。すなわち、この場合、鉄筋１５ａの付着強度が強化される。このように、途中定着部１５ｄよりも下方における外側面９ａ，９ｂに対する圧縮力は、鉄筋１５ａの付着強度に関連することになるので、上記付着強度の調整は、上記圧縮力の強弱を調整することで達成することができる。
【００２２】
また、橋脚１における橋脚本体９の断面形状によれば、橋脚本体９は、橋桁３の延在方向への撓みが大きいので、特に、外側面９ａにおいて上記付着の喪失の現象が発生し易い。従って、付着の喪失の発生タイミングを調整する上では、外側面９ａ付近の鉄筋１５ａの付着強度を調整することが、特に効果的である。
【００２３】
以下、このような付着強度の調整を可能にするための橋脚１の具体的な構成について説明する。図２〜図４及び図７に示すように、橋脚本体９の両側の外側面９ａ，９ａには、段落し部１７における鉄筋１５ａの途中定着部１５ｄに対応する位置に沿って、水平に延在する押圧板（押圧部材）２１がそれぞれ取り付けられている。この押圧板２１は、外側面９ａの水平幅と同じ長さをもつ断面コ字型の鋼材であり、平面をなす押圧面２１ａを有している。また、補強板２１の鉛直方向の幅は、鉄筋１５ａの直径の５〜２５倍の寸法に設定されており、押圧板２１の上端は、鉄筋１５ａ上端の途中定着部ｄと同じ高さに位置している。この押圧板２１は、押圧面２１ａがゴム板２３を介して外側面９ａに密着するように、３箇所のアンカー部材２５及びナット２９によって外側面９ａに取り付けられている。
【００２４】
このアンカー部材２５は、かぶりコンクリート１３ａを貫通して鉄筋１５ａよりも深い位置まで挿入されており、モルタル２６によってコンクリート部１３に固定されている。そして、ナット２９の締め付けにより、アンカー部材２５には引っ張り応力が生じており、その結果、押圧板２１の押圧面２１ａが外側面９ａに対して押し当てられ圧縮力Ｆ４を付与している。このアンカー部材２５としては、ネジ溝が形成されたＰＣ綱棒やネジ鉄筋を採用することができる。
【００２５】
なお、この押圧板２１は断面コ字型に形成されているので、ナット２９の締め付けによる押圧板２１自体の撓みは極めて少なく、押圧板２１は外側面９ａに対して均等な圧縮力Ｆ４を付与することができる。また、ナット２９と押圧板２１の間には、支圧板２７が挟まれているので、ナット２９の締め付け力が押圧板２１に効率よく伝達され、更に、押圧面２１ａと外側面９ａとの間にはゴム板２３が挟まれているので、外側面９ａには均等な圧縮力Ｆ４が付与される。そして、ナット２９の締め付け力の強弱を調整することにより、圧縮力Ｆ４の強弱を調整することができ、その結果、外側面９ａ付近の鉄筋１５ａの付着強度を調整することができる。
【００２６】
そして、圧縮力Ｆ４と、付着の喪失が発生するタイミングとの相関関係を予め実験により求めておくことで、付着の喪失を所望のタイミングで発生させるような調整が可能になる。その結果、上述のように、橋脚本体９が降伏した後、橋脚本体９が最大耐力を保持している間に鉄筋１５ａの付着の喪失が発生するように、付着強度を調整することが可能になる。
【００２７】
また、地震時において、付着の喪失が、橋脚本体９の降伏の前に発生しないようにするためには、鉄筋１５ａの付着強度を大きく強化する必要があるが、上記押圧板２１により圧縮力Ｆ４を付与する上記の構成によれば、このような条件も満足することができる。また、付着強度がある程度強化されていることから、小規模の地震時においては、鉄筋１５ａの付着が容易に失われることがなく、小規模の地震時に対する耐震強度が向上する。そして、上記構成によれば、橋脚本体９の周囲に新たに鉄筋を巻き付けるような付着強度の強化に比較して、鉄筋量やコンクリート量を節約することができる。
【００２８】
続いて、外側面９ａに対する圧縮力が上述のように調整された橋脚１の挙動について、図８を参照しながら説明する。初期段階では、橋脚本体９の途中定着鉄筋１５ａ，鉄筋１５ｂは、双方ともコンクリート部１３に付着しており、有効に機能している。この状態の橋脚本体９は、上端にかかるＰ１の水平力を負担することができる。ここで、橋脚１が地震時のエネルギーを受けると、橋脚本体９の上端が変位δ１まで変形したところで弾性領域を越えて降伏する（図８中の状態Ａ１）。この橋脚本体９では、上述のように途中定着鉄筋１５ａの付着強度が強化されていることから、このような降伏後の状態においても、途中定着鉄筋１５ａの付着の喪失は発生しておらず、途中定着鉄筋１５ａは橋脚本体９の強度に貢献している。そして、橋脚本体９の上端にかかる水平力がＰ１に達すると（状態Ａ２）、橋脚本体９は、それ以上の水平力を負担することなく、最大耐力Ｐ１を保持した状態で変形を続けることで、地震のエネルギーを吸収し続ける。
【００２９】
ここで、橋脚１においては、前述したように、橋脚本体９が最大耐力Ｐ１を保持しているときに、鉄筋１５ａの付着の喪失が発生するように、押圧板２１による圧縮力Ｆ４の大きさが調整されている。従って、ここでは、橋脚本体９が最大耐力Ｐ１を保持したまま、変位δ３まで橋脚本体９の変形が進行した段階で（状態Ａ３）、鉄筋１５ａの周囲のコンクリートに鉛直方向のひび割れが発生する。このとき、更に、かぶりコンクリート１３ａが橋脚本体９から剥離する場合もある。このことで、途中定着鉄筋１５ａの付着が喪失し、鉄筋１５ｂのみが橋脚本体９の強度に貢献することになるので、橋脚本体９が負担可能な水平力は、Ｐ２にまで低下する（状態Ｂ４）。
【００３０】
その後は、ほぼＰ２の水平力を負担しながら橋脚本体９の変形が進行していく（状態Ｂ５）。この状態Ｂ５においては、橋脚本体９は強度に貢献する鉄筋数が少ない状態となっており、かつ、橋脚本体９の強度に貢献する鉄筋１５ｂは既に降伏していることから、コンクリート部１３の損傷は軽微であり、橋脚本体９は高い変形性能を示す。従って、橋脚本体９は、状態Ｂ５において、大きく変形しながらも地震のエネルギーを吸収し続けることができ、橋脚本体９は崩壊しにくい。
【００３１】
一方、比較のため、図８及び図９を参照しながら、崩壊するまで途中定着鉄筋１５ａの付着が失われないようにした橋脚１０１の挙動を考える。この場合、橋脚１０１が地震のエネルギーを受けると、橋脚本体１０９は、橋脚本体９と同様に、状態Ａ１〜Ａ３を経て変形する。そして、図８中の一点鎖線で示すように、状態Ａ３以降においても橋脚本体１０９が最大耐力Ｐ１を保持し続け、橋脚本体１０９の最下部１０９ａが最大の曲げモーメントを受け続ける。そして、橋脚本体１０９の変形が、変位δ４まで進行したときに耐力が低下し始め（図中の状態Ａ４）、その後終局状態（状態Ａ５）に達した後は、橋脚本体１０９の耐力が急激に低下して最下部１０９ａが崩壊する（状態Ａ６）。このような橋脚１０１の場合、崩壊までに吸収した地震エネルギーの総量は、図８で明らかな通り、橋脚１よりも小さくなる。換言すれば、上述した橋脚１は、この橋脚１０１よりも吸収可能なエネルギーが大きく、崩壊しにくいことが判る。
【００３２】
以上のように、橋脚１では、状態Ａ２〜Ａ４までの間の何れかのタイミングで（すなわち、橋脚本体９が最大耐力Ｐ１を保持しながら変形しているときに）、意図的に鉄筋１５ａの付着を失わせることによって、橋脚本体９に負担させる水平力を低下させ、その後の橋脚本体９が高い変形性能を示すようになる。従って、鉄筋１５ａの付着の喪失後の橋脚本体９は、大きい変形によって地震のエネルギーを吸収することができ、崩壊が発生しにくい。
【００３３】
また、この場合、橋脚１が吸収可能な地震のエネルギーの総量を出来るだけ増加させるべく、鉄筋１５ａの付着の喪失が発生するタイミングを、出来るだけ終局状態（図中の状態Ａ４）に近づけるように、圧縮力Ｆ４の強弱を調整することが好ましい。そして、上記の橋脚１の構成によれば、ナット２９の締め付け力の調整によって圧縮力Ｆ４の調整が可能であるので、鉄筋１５ａの付着の喪失が発生するタイミングを、上記の終局状態の近くに、容易に調整することができる。
【００３４】
なお、上記橋脚１においては、ナット２９の締め付け力によって押圧板２１が外側面９ａに圧縮力を付与していたが、ナット２９は押圧板２１を固定出来る程度に締めるだけでもよい。このようにしても、橋脚本体９の撓みが発生した際には、押圧板２１が上記の力Ｆ２，Ｆ３に対抗して圧縮力Ｆ４を発生させるので、鉄筋１５ａの付着強度が強化される。
【００３５】
（第２実施形態）
図１０を参照し、本発明の第２実施形態に係る橋脚５１について説明する。この橋脚５１の段落し部５３においては、上記橋脚１におけるアンカー部材２５に代えて、外側面９ａから他方の外側面９ａまで橋脚本体を貫通する３本の貫通鋼材（貫通部材）５５を備えている。この貫通鋼材５５としては、ネジ溝が形成されたＰＣ綱棒やネジ鉄筋を採用することができる。３本の貫通鋼材５５は、橋脚本体９を貫通する３つの貫通孔にそれぞれ挿通されており、各貫通鋼材５５の両端には、ナット２９が装着されている。
【００３６】
橋脚本体９の両側に取り付けられた一対の押圧板２１は、この各貫通鋼材５５とナット２９とによって、それぞれ対向する外側面９ａ，９ａに３箇所で固定されている。そして、両端のナット２９の締め付けにより、貫通鋼材５５には引っ張り応力が生じており、その結果、両側の押圧板２１はそれぞれ外側面９ａに対して圧縮力を付与している。以上のように、このような構成の橋脚５１によっても、外側面９ａに対して圧縮力を付与することができる。そして、ナット２９の締め付け力の強弱を調整することにより、この圧縮力の強弱を調整することができるので、上述した橋脚１と同様の作用効果を奏することができる。なお、この橋脚５１において、橋脚１と同一又は同等な構成については、図面に同一符号を付し、その説明は省略する。
【００３７】
（第３実施形態）
図１１〜図１３を参照し、本発明の第３実施形態に係る橋脚６１について説明する。この橋脚６１の段落し部６３においては、両側の外側面９ａの押圧板２１に沿って更に外側に、押圧板２１と同等の構成を有する第２押圧板６５がそれぞれ設けられている。２つの第２押圧板６５は、外側面９ａの水平幅よりもわずかに長く形成されており、第２押圧板６５の互いの両端同士が、外側面９ｂに沿って延びる連結鋼材６７及びナット６８によって連結されている。この連結鋼材６７としては、ネジ溝が形成されたＰＣ綱棒やネジ鉄筋を採用することができる。
【００３８】
この押圧板２１と第２押圧板６５との間には、等間隔に配列された３本のコイルバネ（付勢手段）６９が伸縮自在に挟まれて取り付けられ、ナット６８の締め付けによって、各コイルバネ６９が圧縮されている。その結果、両側の押圧板２１はコイルバネ６９からの圧縮力により段落し部６３を挟み込み、それぞれ外側面９ａに対して圧縮力を付与している。以上のように、このような構成の橋脚６１によっても、外側面９ａに対して圧縮力を付与することができる。そして、コイルバネ６９のバネ定数を適宜調整することにより、この圧縮力の強弱を調整することができるので、上述した橋脚１と同様の作用効果を奏することができる。また、このような構成によれば、橋脚本体９にアンカー部材用の孔を形成する工程が不要になるので、作業性が向上する。なお、外側面９ａに対する圧縮力の強弱は、ナット６８の締め付け力の強弱によって調整してもよい。
【００３９】
また、ナット６８の締め付け力は第２押圧板の両端に加えられることから、第２押圧板６５は、中央が外側面９ａから離れるようにわずかに湾曲する。ところが、第２押圧板６５からの圧縮力は、複数のコイルバネ６９のバネ定数を変化させることで、押圧板２１の各部に等間隔に等しい圧縮力が伝達されるので、押圧板２１は、外側面９ａに対して均等な圧縮力を付与することが可能となり、圧縮力の調整をより正確に行うことができる。なお、第２押圧板６５は、押圧板２１と同様に断面コ字型に形成されているので、ナット６８の締め付けによる第２押圧板６５自体の撓みは極めて少なく、押圧板２１に対して均等な圧縮力を付与することができる。なお、この橋脚６１において、橋脚１と同一又は同等な構成については、図面に同一符号を付し、その説明は省略する。
【００４０】
（第４実施形態）
図１４を参照し、本発明の第４実施形態に係る橋脚７１について説明する。この橋脚７１の段落し部７３においては、橋脚１における押圧板２１に代えて、両側の外側面９ａに押圧板７５がそれぞれ取り付けられている。各押圧板７５は、断面コ字型をなし、延在方向における中央が外側面９ａに向かうように湾曲した鋼材である。これらの各押圧板７５は、湾曲した状態から外側面９ａに押し当てられることで、外側面９ａに沿うように直線状に弾性変形し、各押圧板７５の押圧面７５ａがゴム板２３を介して外側面９ａに密着する。そして、このように弾性変形した状態で、両側の押圧板７５の互いの両端部同士が、外側面９ｂに沿って延びる連結鋼材７７及びナット７８によって連結される。この連結鋼材７７としては、ネジ溝が形成されたＰＣ綱棒やネジ鉄筋を採用することができる。
【００４１】
このように、予め外側面９ａ側に凸になるように湾曲された両側の押圧板７５が、直線状に弾性変形するように外側面９ａに押し当てられており、互いに連結されている。このことで、２つの押圧板７５が橋脚本体９の段落し部７３を挟み込み、それぞれ外側面９ａに対して圧縮力を付与している。以上のように、このような構成の橋脚７１によっても、外側面９ａに対して圧縮力を付与することができる。そして、押圧板７５の剛性や湾曲形状を適宜調整することにより、この圧縮力の強弱を調整することができるので、上述した橋脚１と同様の作用効果を奏することができる。なお、外側面９ａに対する圧縮力の強弱は、ナット７８の締め付け力の強弱によって調整してもよい。
【００４２】
また、ナット７８の締め付け力は押圧板７５の両端に加えられることから、押圧板７５は、中央が外側面９ａから離れるように湾曲する力を受ける。この湾曲により、押圧板７５中央において、外側面９ａへの圧縮力が十分でなくなることも考えられるが、この橋脚７１の構成によれば、弾性変形による押圧板７５の残留応力によって、押圧板７５の中央部においても外側面９ａへの圧縮力が十分に発生している。従って、押圧板７５の長さ方向における外側面９ａへの圧縮力が均一化され、圧縮力の調整をより正確に行うことができる。なお、この橋脚７１において、橋脚１と同一又は同等な構成については、図面に同一符号を付し、その説明は省略する。
【００４３】
本発明は、上述した実施形態に限定されるものではない。例えば、上述の橋脚１，５１，６１，７１の構造は、特に、既存の橋脚の耐震補強構造に好適に適用できるが、新設の橋脚の構造に適用してもよい。
【００４４】
また、上述の橋脚１，５１，６１，７１では、押圧板２１，７５を段落し部１７，５３，６３，７３の高さに設けているが、鉄筋１５ａが存在する位置に対応させて、段落し部よりも下方に押圧板２１，７５を設けてもよい。例えば、橋脚５１を例として説明すれば、図１５に示すように、押圧板２１の上下位置を適宜調整することで、意図的に段落し部５３の鉄筋１５ａの付着の喪失を発生させ、段落し部５３で地震のエネルギーを吸収させることができる。従って、地震のエネルギーの吸収位置として、一般的に地中や水中に存在する最下部９ａではなく、地上や水上の位置を選択することにより、地震後の補修作業を容易にすることができる。
【００４５】
また、上述の第１〜第４実施形態における各橋脚１，５１，６１，７１の各構成は、適宜組み合わせて採用してもよい。
【図面の簡単な説明】
【００４６】
【図１】本発明に係る脚柱の構造が用いられる橋梁を示す図である。
【図２】本発明に係る脚柱の構造の第１実施形態を示す斜視図である。
【図３】図２の橋脚におけるＩＩＩ−ＩＩＩ線に沿った断面図である。
【図４】図２及び図３の橋脚におけるＩＶ−ＩＶ線に沿った断面図である。
【図５】鉄筋の途中定着部付近を拡大した鉛直断面図である。
【図６】図２の橋脚が撓んだ状態を示す断面図である。
【図７】図４におけるＶＩＩ−ＶＩＩ線に沿った断面図である。
【図８】図２の橋脚本体の地震時における変位と荷重とを示す図である。
【図９】比較例の橋脚の地震時における挙動を示す図である。
【図１０】本発明に係る脚柱の構造の第２実施形態を示す断面図である。
【図１１】本発明に係る脚柱の構造の第３実施形態を示す断面図である。
【図１２】図１１におけるＸＩＩ−ＸＩＩ線に沿った断面図である。
【図１３】図１１におけるＸＩＩＩ−ＸＩＩＩ線に沿った端面図である。
【図１４】本発明に係る脚柱の構造の第４実施形態を示す断面図である。
【図１５】橋脚の地震時における破損の状態を示す図である。
【符号の説明】
【００４７】
１，５１，６１，７１…橋脚（脚柱）、９ａ，９ａ…外側面、９…橋脚本体（脚柱本体）、１３…コンクリート部、１５ａ…途中定着鉄筋、１５ｄ…途中定着部、１７，５３，６３，７３…段落し部、２１，７５…押圧板（押圧手段、押圧部材）、２５…アンカー部材、５５…貫通鋼材（貫通部材）、６９…コイルバネ（付勢手段）。
【図１】
0004628288.tif 000002
【図２】
0004628288.tif 000003
【図３】
0004628288.tif 000004
【図４】
0004628288.tif 000005
【図５】
0004628288.tif 000006
【図６】
0004628288.tif 000007
【図７】
0004628288.tif 000008
【図８】
0004628288.tif 000009
【図９】
0004628288.tif 000010
【図１０】
0004628288.tif 000011
【図１１】
0004628288.tif 000012
【図１２】
0004628288.tif 000013
【図１３】
0004628288.tif 000014
【図１４】
0004628288.tif 000015
【図１５】
0004628288.tif 000016